(57)【要約】【課題】信号灯としての機能に加えて、必要に応じて前方を照射する前照灯としても使用できる機能を兼ね備えた携帯型ＬＥＤ照明灯装置を提供する。【解決手段】電池９が収容され、且つ光源１１が設けられた本体ケース１と、椀形状の内外面に光源１１からの光を前方へ向け反射させる内側反射面２７ａと側方へ反射させる外側反射面２７ｂとを有する反射鏡２７が内部に固定された前ケース２と、前ケース２および本体ケース１のうちの少なくとも一方に摺動自在に嵌合して連結された光透過性連結ケース３とを備える。本体ケース１と光透過性連結ケース３との摺動または／および前ケース２と光透過性連結ケース３との摺動により、光透過性連結ケース３と本体ケース１との相対位置または光透過性連結ケース３と前ケース２との相対位置が、光源１１が反射鏡２７の後端開口部内に位置する配置と反射鏡２７の後端開口が光源１１の前方側へ離間した配置とに択一的に可変設定できるようにする。【選択図】  図１
2006331880.tif 000002
【特許請求の範囲】
【請求項１】
筒状の内部に駆動電源としての電池が収容され、且つ中心線上に位置されて前方側に向け発光する配置で光源が設けられた本体ケースと、
前後両端が開口した椀形状の内外面に前記光源からの光を前方へ向け反射させる内側反射面と前記光を側方へ反射させる外側反射面とがそれぞれ形成された反射鏡が内部に固定された、前後両端開口した筒状の前ケースと、
前記前ケースおよび前記本体ケースにそれぞれ連結される筒状の前後両端の各開口部のうちの少なくとも一方が前記前ケースまたは前記本体ケースに摺動自在に嵌合して連結された光透過性連結ケースとを備え、
前記本体ケースと前記光透過性連結ケースとの摺動または／および前記前ケースと前記光透過性連結ケースとの摺動により、前記光透過性連結ケースと前記本体ケースとの相対位置または前記光透過性連結ケースと前ケースとの相対位置が、前記光源が前記反射鏡の後端開口部内に位置する配置と前記反射鏡の後端開口が前記光源の前方側へ離間した配置とに択一的に可変設定できるように構成されていることを特徴とする携帯型ＬＥＤ照明灯装置。
【請求項２】
反射鏡の前側開口端に、前記反射鏡の内側反射面からの反射光を前ケースの前方側外方へ向け集光して照射させる集光レンズが嵌め込み状態で取り付けられている請求項１に記載の携帯型ＬＥＤ照明灯装置。
【請求項３】
集光レンズが、反射鏡の内側反射面からの反射光を平行光線に変換するよう偏光させて前方に集光照射できるように光学的設計がなされたものである請求項２に記載の携帯型ＬＥＤ照明灯装置。
【請求項４】
光透過性連結ケースは、着色された半透明の光透過部が、反射鏡の後端開口部が光源から離間したときに反射鏡の外側反射面からの反射光を透過させて外部に放出できる中央部に設けられ、この中央部に対し前後両側に、本体ケースおよび前ケースの各々の内周面にそれぞれ摺動するとともに摺動停止した位置に保持する鋸歯状部が形成されている請求項１ないし３の何れか１項に記載の携帯型ＬＥＤ照明灯装置。
【請求項５】
光源として、単一の高輝度白色ＬＥＤが設けられ、この高輝度白色ＬＥＤが、熱伝達係数の高い金属材料で形成された回路基板に実装され、反射鏡に放熱口が形成されている請求項１ないし４の何れか１項に記載の携帯型ＬＥＤ照明灯装置。
【請求項６】
反射鏡が、内側反射面の反射率を低く、且つ外側反射面の反射率を高く設定して形成されたものである請求項１ないし５の何れか１項に記載の携帯型ＬＥＤ照明灯装置。
【請求項７】
光源を連続点灯と点滅点灯とに切換制御する点灯切換回路を、反射鏡の後端開口部が光源に対し前方側に離間した信号灯モードと前記光源が前記反射鏡の後端開口部内に位置する前照灯モードとを検知するモード検知スイッチとを備え、前記点灯切換回路が、前記モード検知スイッチからの検知信号に基づき自動的に切換制御されるように構成されている請求項１ないし６の何れか１項に記載の携帯型ＬＥＤ照明灯装置。
【発明の詳細な説明】
【技術分野】
【０００１】
本発明は、工事現場や交通整理などにおいて信号灯として使用できる機能を備えているのに加えて、必要に応じて前方を照射する前照灯としても使用できる機能を兼ね備えた携帯型ＬＥＤ照明灯装置に関するものである。
【背景技術】
【０００２】
従来、ＬＥＤを光源とする携帯型信号灯としては、複数個のＬＥＤを間隔を存して一直線状に配列した配置でフード内に収納し、円錐形または球面形の反射面を有するブロック体を各ＬＥＤ毎に個々に取り付けることにより、各ＬＥＤにおける配列方向を向いた指向性の発光を側方向に偏向させるようにしたもの（例えば、特許文献１参照）や、支柱部の上端部に標示筒を設け、この標示筒内に、複数個のＬＥＤを実装した基板と、各ＬＥＤに対し前方側で相対向する配置で設けられて各ＬＥＤの発光を側方の標示筒に向け反射させる反射板とを設けたもの（例えば、特許文献２参照）などが知られている。
【特許文献１】特開２００２−７５００２号公報
【特許文献２】実開平２−９７７１１号公報
【発明の開示】
【発明が解決しようとする課題】
【０００３】
しかしながら、従来の何れの携帯型信号灯においても、ＬＥＤと反射鏡とが、ＬＥＤの発光の全てを反射鏡によって側方に向け反射させる相対位置に固定して設けられているため、信号灯としての機能しか有していないことから、使用用途が限定されている。
【０００４】
本発明は、上記従来の課題に鑑みてなされたもので、信号灯としての機能に加えて、必要に応じて前方を照射する前照灯としても使用できる機能を兼ね備えた携帯型ＬＥＤ照明灯装置を提供することを目的とするものである。
【課題を解決するための手段】
【０００５】
上記目的を達成するために、請求項１に係る発明の携帯型ＬＥＤ照明灯装置は、筒状の内部に駆動電源としての電池が収容され、且つ中心線上に位置されて前方側に向け発光する配置で光源が設けられた本体ケースと、前後両端が開口した椀形状の内外面に前記光源からの光を前方へ向け反射させる内側反射面と前記光を側方へ反射させる外側反射面とがそれぞれ形成された反射鏡が内部に固定された、前後両端開口した筒状の前ケースと、前記前ケースおよび前記本体ケースにそれぞれ連結される筒状の前後両端の各開口部のうちの少なくとも一方が前記前ケースまたは前記本体ケースに摺動自在に嵌合して連結された光透過性連結ケースとを備え、前記本体ケースと前記光透過性連結ケースとの摺動または／および前記前ケースと前記光透過性連結ケースとの摺動により、前記光透過性連結ケースと前記本体ケースとの相対位置または前記光透過性連結ケースと前ケースとの相対位置が、前記光源が前記反射鏡の後端開口部内に位置する配置と前記反射鏡の後端開口が前記光源の前方側へ離間した配置とに択一的に可変設定できるように構成されていることを特徴としている。
【０００６】
請求項２に係る発明の携帯型ＬＥＤ照明灯装置は、請求項１に係る発明における反射鏡の前側開口端に、前記反射鏡の内側反射面からの反射光を前ケースの前方側外方へ向け集光して照射させる集光レンズが嵌め込み状態で取り付けられている。
【０００７】
請求項３に係る発明の携帯型ＬＥＤ照明灯装置は、請求項２に係る発明における集光レンズが、反射鏡の内側反射面からの反射光を平行光線に変換するよう偏光させて前方に集光照射できるように光学的設計がなされたものである。
【０００８】
請求項４に係る発明の携帯型ＬＥＤ照明灯装置は、請求項１ないし３の何れか１項に係る発明において、光透過性連結ケースが、着色された半透明の光透過部が、反射鏡の後端開口部が光源から離間したときに反射鏡の外側反射面からの反射光を透過させて外部に放出できる中央部に設けられ、この中央部に対し前後両側に、本体ケースおよび前ケースの各々の内周面にそれぞれ摺動するとともに摺動停止した位置に保持する鋸歯状部が形成された形状を有している。
【０００９】
請求項５に係る発明の携帯型ＬＥＤ照明灯装置は、請求項１ないし４の何れか１項に係る発明における光源として、単一の高輝度白色ＬＥＤが設けられ、この高輝度白色ＬＥＤが、熱伝達係数の高い金属材料で形成された回路基板に実装され、反射鏡に放熱口が形成されている。
【００１０】
請求項６に係る発明の携帯型ＬＥＤ照明灯装置は、請求項１ないし５の何れか１項に掛かる発明における反射鏡が、内側反射面の反射率を低く、且つ外側反射面の反射率を高く設定して形成されたものである。
【００１１】
請求項７に係る発明の携帯型ＬＥＤ照明灯装置は、請求項１ないし６の何れか１項に係る発明において、光源を連続点灯と点滅点灯とに切換制御する点灯切換回路を、反射鏡の後端開口部が光源に対し前方側に離間した信号灯モードと前記光源が前記反射鏡の後端開口部内に位置する前照灯モードとを検知するモード検知スイッチとを備え、前記点灯切換回路が、前記モード検知スイッチからの検知信号に基づき自動的に切換制御されるように構成されている。
【発明の効果】
【００１２】
請求項１に係る発明では、光透過性連結ケースと本体ケースとの相対位置または光透過性連結ケースと前ケースとの相対位置を、装置全体が伸長する方向にスライド移動させて互いに離間する配置に設定すれば、光透過性連結ケースの後端開口部が光源に対し前方側に離間するので、光源から発せられる光は、その殆どが反射鏡の外側反射面によって側方の光透過性連結ケースに向け反射されて、その光透過部を透過して側方周囲に放出されるから、この状態で本体ケースを把持すれば、信号灯として好適に使用することができる。一方、光透過性連結ケースと本体ケースとの相対位置または光透過性連結ケースと前ケースとの相対位置を、装置全体が短縮する方向にスライド移動させて互いに近接する配置に設定すれば、光透過性連結ケースの後端開口部内に光源が位置するので、光源から発せられた光は、その殆どが反射鏡の内側反射面によって前方側に向け反射されて、前ケースの前側開口部から前方に向け放出されるから、必要に応じて信号灯から前照灯に変更して好適に使用することができる。
【００１３】
請求項２に係る発明では、反射鏡の内側反射面からの反射光を集光レンズを透過させることにより前方に集光させることができるので、前照灯として使用する場合に、前方の所要の照明領域において所定の照度を確保した照明を行うことができる。
【００１４】
請求項３に係る発明では、前方の所要の照明領域を所定の照度を一層確実に確保しながら照明むら無く均等に照射することができるので、極めて好適な前照灯となる。
【００１５】
請求項４に係る発明では、反射鏡の後端開口部を光源に対し前方側に離間させて信号灯の機能に設定した場合、光透過性連結ケースの光透過部が本体ケースと前ケースとの中間部に位置されるので、反射鏡の外側反射面からの反射光を光透過部を透過させて効率的に側方周囲を照射できるとともに、鋸歯状部によって本体ケース、光透過性連結ケースおよび前ケースの各々の相対位置を保持できるので、使い勝手の良いものとなる。
【００１６】
請求項５に係る発明では、大電流を流すことのできる高輝度白色ＬＥＤを単一用いるだけで所望の輝度を確保して装置全体のコンパクト化を図りながらも、発熱量の大きな高輝度白色ＬＥＤで発生した熱が、熱伝達係数の高い金属材料を用いて配線パターンが形成された回路基板を伝熱して周囲に効果的に放熱されるとともに、反射鏡の内部空間を伝わった熱が反射鏡の放熱口から外部空間に効果的に放熱されるので、大掛かりな放熱手段を別途設けることなく、回路基板と反射鏡とに設けた簡単な放熱手段により効果的に放熱できるようにして、高輝度白色ＬＥＤの発熱による過熱を確実に防止して長寿命化を確保できる。
【００１７】
請求項６に係る発明では、反射鏡の内側反射面が外側反射面よりも低い反射率に設定されていることから、光源からの光を必要な光量に低減して集光レンズに向け反射するので、集光レンズによって前方に結像して照射された発光部に対応する照明領域の周囲に不要な光のリング状の照明領域が形成されることがなく、見易い照明となる。
【００１８】
請求項７に係る発明では、必要に応じて信号灯から前照灯に変更すべく装置全体を短縮させるよう操作した場合に、光源が連続点灯するように自動的に切り換えられるので、スイッチの切換操作などが不要となって使い勝手の良いものとなる。
【発明を実施するための最良の形態】
【００１９】
以下、本発明の好ましい実施の形態について図面を参照しながら説明する。図１および図２は何れも本発明の一実施の形態に係る携帯型ＬＥＤ照明灯装置を示す縦断面図であり、図１は前照灯モードに設定した状態、図２は信号灯モードに設定した状態をそれぞれ示している。この携帯型ＬＥＤ照明灯装置は、何れも円筒状となった本体ケース１、前ケース２、光透過性連結ケース３および電池蓋ケース４を前後方向に一列配列に連接することにより、筒体容器状の装置外体が構成されている。本体ケース１と前ケース２は、これらの間に光透過性連結ケース３を介在して相互に連結されている。ここで、本体ケース１と光透過性連結ケース３とは、長手方向に沿ってスライド移動によって相対位置が可変できる形態で連結され、前ケース２と光透過性連結ケース３とは、長手方向に沿ってスライド移動によって相対位置が可変できる形態で連結されている。これにより、上記装置外体は長手方向に沿って伸縮できるようになっている。これの詳細については後述する。
【００２０】
上記本体ケース１内には、一端（図の下方）が開口した有頭円筒状の電池収納部７が、後端部（図の下端部）を本体ケース１の取付片１ａにねじ８により固定して収容されている。この電池収納部７には、複数個（この実施の形態においては４個）の電池９が、互いに直列接続された配置で電池ケース１０に収納された状態で一端開口から着脱自在に挿入して収容されるようになっている。この電池収納部７の前端近傍の外周面には、係止突片７ａが外方へ向け突設されている。上記電池収納部７の他端部には、高輝度白色ＬＥＤ１１およびモード検知スイッチ１２などが実装された第１の回路基板１３がねじ１４により固定されている。
【００２１】
この実施の形態では、光源として、高輝度白色ＬＥＤ１１が単一設けられているだけであるが、この高輝度白色ＬＥＤ１１として、定格電流が３５０ｍＡで最大電流値が５００ｍＡのものが用いられている。すなわち、この照明灯装置は、単一の高輝度白色ＬＥＤ１１によって所望の輝度を確保できるようになっている。但し、上記高輝度白色ＬＥＤ１１は、大電流が流れることから、発熱量が比較的大きいので、この高輝度白色ＬＥＤ１１が実装される第１の回路基板１３は、熱伝達係数の高い金属材料を用いて配線パターンが形成されている。また、上記高輝度白色ＬＥＤ１１は、円筒状を呈する全体形状に構成された装置外体の中心線上において、光軸が前方（図の上方）を向く配置で第１の回路基板１３に実装されている。
【００２２】
上記電池蓋ケース４は、有底円筒状に形成されて、本体ケース１に対しねじ結合により着脱自在に取り付けられるようになっている。この電池蓋ケース４の開口端近傍箇所には支持板１７が嵌合状態で固着され、この支持板１７に、電源スイッチ１８を有する制御部１９が実装された第２の回路基板２０が、取付部材２１を介在してねじ２２により固着されている。上記電源スイッチ１８は、押圧操作することにより、電池９から高輝度白色ＬＥＤ１１への駆動電源の供給制御するものである。
【００２３】
上記第２の回路基板２０は、コネクタ２３を介して電池ケース１０の電源端子（図示せず）に接続されているとともに、接続コード２４を介して第１の回路基板１３に接続されている。これにより、電源ケース１０内の各電池９は、第２の回路基板２０、接続コード２４および第２の回路基板２０を介して高輝度白色ＬＥＤ１１に電源を供給して発光させるようになっており、上記制御部１９は、電源スイッチ１８の押圧操作に対応して高輝度白色ＬＥＤ１１への通電制御を行う。なお、上記接続コード２４は、電池ケース１０および電池蓋ケース４を本体ケース１の外部に引き出せる長さを有しており、電池ケース１０および電池蓋ケース４が取り付けられる際には手繰られた状態で本体ケース１内に収容される。
【００２４】
上記前ケース２内には、椀状の外観を呈して両端部が開口された形状の反射鏡２７と、非球面形状を有する凸レンズからなる集光レンズ２８とが、反射鏡２７の前端開口部に集光レンズ２８を嵌め込んだ結合状態で固定部材２９を介して固着されている。上記反射鏡２７と集光レンズ２８とは、各々の中心軸が高輝度白色ＬＥＤ１１の光軸と合致する配置で前ケース２に固定されている。上記固定部材２９には、後端部に係止突部２９ａが外方へ向け突設されている。
【００２５】
椀状を呈する上記反射鏡２７の内側反射面２７ａは、図１に示すように後部開口部における中心軸上に高輝度白色ＬＥＤ１１が位置する相対配置とされたときに、高輝度白色ＬＥＤ１１から発せられた光を前方の集光レンズ２８に向け反射させる湾曲面に形成されている。集光レンズ２８は、透明樹脂または透明ガラスにより形成されたもので、反射鏡２７の内側反射面２７ａからの反射光を平行光線に変換するよう偏光させて前方に集光照射できるように光学的設計がなされたものである。
【００２６】
一方、上記反射鏡２７の外側反射面２７ｂは、図２に示すように、図２に示すように高輝度白色ＬＥＤ１１が後部開口部から離間した中心軸上に位置する相対配置とされたときに、高輝度白色ＬＥＤ１１から発せられた光を周側方の光透過性連結ケース３に向け反射させる湾曲面に形成されている。
【００２７】
また、反射鏡２７は、内側反射面２７ａの反射率を低く、且つ外側反射面２７ｂの反射率を高く設定して形成されており、この実施の形態では、内側反射面２７ａおよび外側反射面２７ｂが、研磨などの手段で所定の反射率に形成されているが、アルミニウムを蒸着する表面処理手段などで所定の反射率に形成することもできる。なお、反射鏡２７には、単一または複数個の放熱口２７ｃが開口されている。
【００２８】
上記光透過性連結ケース３は、赤色に着色した半透明の合成樹脂により、本体ケース１および前ケース２の内周面に対し自体の外周面が摺動する径を有する円筒形状に形成されている。したがって、この携帯型ＬＥＤ照明灯装置は、光透過性連結ケース３を本体ケース１に対し摺動しながら出入させ、且つ前ケース２を光透過性連結ケース３に摺動しながら出入させることにより、本体ケース１、光透過性連結ケース３および前ケース２の各々の中心軸方向の相対位置を可変して全体の長さを伸縮できるようになっており、それにより、信号灯モードと前照灯モードとに切り換えできる。
【００２９】
また、光透過性連結ケース３は、その中央箇所に、透過光を拡散させて出射させる光透過部３ａが設けられ、この光透過部３ａに対し前後両側箇所の外周面に、鋸歯状面３ｂが形成され、さらに、前後両端部に、係止小片３ｃ，３ｄがそれぞれ形成されている。
【００３０】
つぎに、上記携帯型ＬＥＤ照明灯装置の使用形態について説明する。先ず、工事現場や交通整理などで信号灯として使用する場合には、図２に示すように、光透過性連結ケース３を、これの係止小片３ｄが電池収納部７の係止突片７ａに当接する最大引出し位置まで本体ケース１から引き出すとともに、前ケース２を、固定部材２９の係止突部２９ａが光透過性連結ケース３の係止小片３ｃに当接する最大引出し位置まで光透過性連結ケース３から引き出して、装置外体を最大長さに伸長させた形態とする。
【００３１】
このとき、光透過性連結ケース３は、自体の前後一対の鋸歯状部３ｂがそれぞれ本体ケース１および前ケース２の各々の内周面に圧接して、本体ケース１および前ケース２に対し相対位置が妄りに変化しないように保持される。この状態では、反射鏡２７は高輝度白色ＬＥＤ１１から離間されているので、高輝度白色ＬＥＤ１１から発せられ光Ｌは、その殆どが反射鏡２７の外側反射面２７ｂに入射して側方の光透過性連結ケース３の光透過部３ａに向け反射され、その光透過部３ａを透過して拡散光として側方周囲に放出される。ここで、光源として高輝度白色ＬＥＤ１１が用いられていることと、反射鏡２７の外側反射面２７ｂが比較的大きな反射率に設定されていることとにより、周側方への放出する拡散光の光量を十分に確保することができるとともに、赤色に着色された光透過部３ａを透過することにより赤色光に変換して放出されるので、この状態で本体ケース１を把持すれば、周囲の自動車や歩行者に自分の存在や非常事態を知らしめるための信号灯として好適に使用することができる。
【００３２】
一方、必要に応じて前照灯として使用する場合には、図１に示すように、光透過性連結ケース３を、これの光透過部３ａが本体ケース１の前側開口端に当接するまで本体ケース１内に押し込むとともに、前ケース２を、これの後部開口端が光透過性連結ケース３の光透過部３ａに当接するまで押し込んで、最小長さに短縮させた形態とする。
【００３３】
このとき、光透過性連結ケース３は、自体の前後一対の鋸歯状部３ｂの全体がそれぞれ本体ケース１および前ケース２の各々の内周面に圧接して、本体ケース１および前ケース２に対し相対位置が変化しないように確実に保持される。この状態では、高輝度白色ＬＥＤ１１は反射鏡２７における後方開口部内に入り込んだ位置に保持されるので、高輝度白色ＬＥＤ１１から発せられる光Ｌは、その殆どが反射鏡２７の内側反射面２７ａによって前方の集光レンズ２８に向け反射されて、前ケース２の前側開口から放出される。
【００３４】
ここで、光源として高輝度白色ＬＥＤ１１が用いられていることに加えて、集光レンズ２８は、反射鏡２７の内側反射面２７ａからの反射光を平行光線に変換するよう偏光させて前方に集光照射できるように光学的設計がなされたものであるから、前方の所要の照明領域を所定の照度を確保しながら照明むら無く均等に照射することができる。しかも、反射鏡２７の内側反射面２７ａは、外側反射面２７ｂよりも低い反射率に設定されていることから、高輝度白色ＬＥＤ１１からの光を必要な光量に低減して集光レンズ２８に向け反射するので、集光レンズ２８によって前方に結像して照射された高輝度白色ＬＥＤ１１の発光部に対応する照明領域の周囲に不要な光のリング状の照明領域が形成されることなく、見易い照明となる。したがって、この状態で本体ケース１を把持すれば、前照灯として好適に使用することができる。
【００３５】
また、上記照明灯装置では、モード検知スイッチ１２が第１の回路基板１３に実装して設けられており、このモード検知スイッチ１２は、図２に示す信号灯機能の状態に設定したときに、光透過性連結ケース３の操作片３ｅが離間してオフされることにより信号灯モードであることを検知するとともに、図１に示す前照灯機能の状態に設定したときに、近接する光透過性連結ケース３の操作片３ｅによって自体のアクチュェータが押し下げられることにより前照灯モードであることを検知するようになっている。
【００３６】
図３は、この実施の形態の照明灯装置の電気制御系のブロック構成図を示す。同図において、上記モード検知スイッチ１２が信号灯モードを検知したときには、切換制御回路３０がモード検知スイッチ１２の検知信号に基づき点灯切換回路３１を制御することにより、電池９を含む電源回路から点灯切換回路３１を介して点滅点灯回路３３にのみ駆動電源が供給されて、点滅点灯回路３３が高輝度白色ＬＥＤ１１を点滅点灯させるように切り換えられる。したがって、信号灯として使用する場合には、光透過性連結ケース３の光透過部３ａから外方周囲に向け点滅光が放出されることにより、危険の報知効果が加わるから、一層効果的な信号となる。
【００３７】
一方、上記モード検知スイッチ１２が前照灯モードを検知したときには、切換制御回路３０がモード検知スイッチ１２の検知信号に基づき点灯切換回路３１を制御することにより、電池９を含む電源回路から点灯切換回路３１を介して連続点灯回路３４にのみ駆動電源が供給されて、連続点灯回路３４が高輝度白色ＬＥＤ１１を連続点灯させるように切り換えられる。したがって、必要に応じて信号灯から前照灯すべく装置全体を短縮するよう操作した場合には、高輝度白色ＬＥＤ１１が連続点灯するように自動的に切り換えられるので、スイッチの切換操作などが不要となって使い勝手の良いものとなる。
【００３８】
また、この実施の形態の照明灯装置では、大電流を流すことのできる高輝度白色ＬＥＤ１１を単一用いるだけで所望の輝度を確保して装置全体のコンパクト化を図りながらも、発熱量の大きな高輝度白色ＬＥＤ１１を用いることに起因する過熱を確実に防止できるようになっている。すなわち、前記照明灯装置では、高輝度白色ＬＥＤ１１で発生した熱が、熱伝達係数の高い金属材料を用いて配線パターンが形成された第１の回路基板１３を伝熱して周囲に効果的に放熱されるとともに、反射鏡２７の内部空間を伝わった熱が反射鏡２７の放熱口２７ｃから外部空間に効果的に放熱される。これにより、この照明灯装置は、大掛かりな放熱手段を別途設けることなく、第１の回路基板１３と反射鏡２７とに設けた簡単な放熱手段により効果的に放熱できるようにして、高輝度白色ＬＥＤ１１の発熱による過熱を確実に防止して長寿命化を確保できるものになっている。
【産業上の利用可能性】
【００３９】
本発明は、本体ケースと前ケースとを、これらの間に介在した光透過性連結ケースを介して相対位置を変更できるように連結したことにより、光源からの光を前ケースに収納の椀状の反射鏡の外側反射面で反射させて光透過性連結ケースを介し側方周囲に放出させる状態としたときに、信号灯として使用することができ、これに加えて、必要に応じて、光源からの光を反射鏡の内側反射面で反射させて前ケースを介し前方に向け放出させる状態とすることにより、前照灯としても好適に使用可能な携帯型ＬＥＤ照明灯装置を提供することができる。
【図面の簡単な説明】
【００４０】
【図１】本発明の一実施の形態に係る携帯型ＬＥＤ照明灯装置における前照灯機能に設定した状態の縦断面図。
【図２】同上の携帯型ＬＥＤ照明灯装置における信号灯機能に設定した状態の縦断面図。
【図３】同上の携帯型ＬＥＤ照明灯装置の電気制御系のブロック構成図。
【符号の説明】
【００４１】
１  本体ケース
２  前ケース
３  光透過性連結ケース
３ａ  光透過部
３ｂ  鋸歯状部
９  電池
１１  高輝度白色ＬＥＤ（光源）
１２  モード検知スイッチ
１３  第１の回路基板（回路基板）
２７  反射鏡
２７ａ  内側反射面
２７ｂ  外側反射面
２７ｃ  放熱口
２８  集光レンズ
３１  点灯切換回路
【図１】
2006331880.tif 000003
【図２】
2006331880.tif 000004
【図３】
2006331880.tif 000005